(57)【要約】【課題】遺体の口や鼻から放出される臭気を効率良く脱臭することができる納棺用仏衣を提供する。【解決手段】本考案に係る納棺用仏衣１０は、衿部の少なくとも一部が、消臭材２１を収納し、通気性を有する消臭材収納部１２になっていることを特徴とする。遺体の口や鼻に近い衿部に設けられた消臭材収納部１２に消臭材２１が収納されるため、効率良く脱臭することができる。また、衿部は一般的に他の部分よりも厚いため、見た目の違和感がなく消臭材２１を収納することができる。【選択図】図１
0003178723.tif 000002
【実用新案登録請求の範囲】
【請求項１】
衿部の少なくとも一部が、消臭材を収納し、通気性を有する消臭材収納部になっていることを特徴とする納棺用仏衣。
【請求項２】
前記消臭材収納部が平面筒状の形状を有することを特徴とする請求項１に記載の納棺用仏衣。
【請求項３】
前記消臭材収納部が他の部分よりも可視光を透過し難い材料から成ることを特徴とする請求項１又は２に記載の納棺用仏衣。
【請求項４】
少なくとも一部が、消臭材を収納し、通気性を有する消臭材収納部になっていることを特徴とする輪袈裟。
【考案の詳細な説明】
【技術分野】
【０００１】
本考案は、納棺される遺体に着用させる納棺用仏衣、及び納棺用仏衣（本考案に係る納棺用仏衣には限られない）と共に衿元に着用させる輪袈裟に関する。
【背景技術】
【０００２】
遺体は、死後に腐敗が始まり、しばらく経つと、臭気の原因となるアンモニア、硫化水素、硫化メチル等を含有する気体を発するようになる。特に、癌を患っていた遺体は、癌の壊死による特有の臭気を発する。遺体がこのような臭気を発していると、葬儀の際に棺の顔扉を開いて参列者が遺体と最後のお別れをする際に、死者の尊厳を保って葬儀を厳かに執り行うことができない。
【０００３】
そこで、従来より、遺体が発する臭気を消臭する効果を奏する葬祭用品が提案されている。特許文献１には、棺の内面に装着する布製の棺用内張に、消臭剤を含浸させておくことが記載されている。また、特許文献２には、棺内に敷かれる棺用敷布団の芯材として、通気シート製の袋内に、消臭効果を奏する粒状の炭を充填したものを用いることが記載されている。
【先行技術文献】
【特許文献】
【０００４】
【特許文献１】登録実用新案第3005156号公報
【特許文献２】特開平09-308660号公報
【考案の概要】
【考案が解決しようとする課題】
【０００５】
臭気は、主に遺体の内部で発生し、口及び鼻から遺体の外に放出される。しかしながら、特許文献１に記載の棺用内張や特許文献２に記載の棺用敷布団は、これら遺体の口や鼻から離れた位置に設けられるため、消臭の効率が悪い。
【０００６】
本考案が解決しようとする課題は、遺体の口や鼻から放出される臭気を効率良く脱臭することができる葬祭用品、具体的には納棺用仏衣及び輪袈裟を提供する。
【課題を解決するための手段】
【０００７】
上記課題を解決するために成された本考案に係る納棺用仏衣は、衿部の少なくとも一部が、消臭材を収納し、通気性を有する消臭材収納部になっていることを特徴とする。
【０００８】
本願における「仏衣」は、仏教式の葬儀で用いられるものには限られず、遺体に着用させる衣類全般をいう。
【０００９】
本考案に係る納棺用仏衣によれば、衿部の少なくとも一部が消臭材収納部になっているため、その消臭材収納部に消臭材を収容することにより、臭気を発する遺体の口や鼻に近い位置にある衿部において効率良く消臭が行われる。また、衿部は一般的に他の部分よりも厚いため、見た目の違和感がなく消臭材を収納することができる。
【００１０】
本考案に係る納棺用仏衣において、消臭材収納部が平面筒状の形状を有することが望ましい。これにより、衿部の形状をより一層通常の仏衣のものに近づけることができる。このような平面筒状の消臭材収納部には、シート状の消臭材（消臭シート）を収納することができる。消臭シートには、布や紙等の平坦な部材に消臭剤を含浸させたものや、消臭材自体をシート状に加工したものがある。
【００１１】
消臭材収納部は、他の部分よりも可視光を透過し難い材料、すなわち透けにくい材料から成るものであることが望ましい。これにより、葬儀の場に似つかわしくない消臭材が葬儀の参列者に視認され難くすることができ、死者の尊厳を保つことができる。この場合において、消臭剤収容部の内部の消臭剤を完全に外部から視認不能にする必要はない。例えば、消臭材収納部に、内部の消臭剤の形状は視認し難いものの、色は外部から視認できる程度に透ける材料を用いることにより、参列者に消臭剤が存在することに気付かれることなく、消臭剤の色と周囲の色の違いを納棺用仏衣のデザインの構成要素として利用することができる。
【００１２】
本考案に係る輪袈裟は、少なくとも一部が、消臭材を収納し、通気性を有する消臭材収納部になっていることを特徴とする。
【００１３】
この輪袈裟は、遺体の衿元に着用させることにより、上記納棺用仏衣の場合と同様に、臭気を発する遺体の口や鼻に近い位置にある襟元において効率良く消臭が行われる。
【考案の効果】
【００１４】
本考案に係る納棺用仏衣及び輪袈裟により、遺体が発する臭気を効率良く消臭することができ、死者の尊厳を保ち、葬儀を厳かに執り行うことができるようになる。
【図面の簡単な説明】
【００１５】
【図１】本考案に係る納棺用仏衣の第１実施例を示す正面図。
【図２】第１実施例の納棺用仏衣において衿部に消臭材を収納する様子を示す正面図。
【図３】第１実施例の納棺用仏衣における衿部の横断面（図２のA矢視断面）図。
【図４】第１実施例の衿部の構成を示す概略図。
【図５】本考案に係る納棺用仏衣の第２実施例を示す正面図。
【図６】第２実施例の納棺用仏衣における衿部の横断面（図５のA矢視断面）図。
【図７】本考案に係る納棺用仏衣の他の実施例における衿部の横断面（図２、５のA断面に相当する断面）図。
【図８】本考案に係る輪袈裟の一実施例を示す正面図。
【考案を実施するための形態】
【００１６】
図１〜図７を用いて本考案に係る納棺用仏衣の実施例を、図８を用いて本考案に係る輪袈裟の実施例を、それぞれ説明する。
【実施例１】
【００１７】
第１の実施例の納棺用仏衣１０は、遺体に着用させた他の（本実施例の納棺用仏衣１０以外の）仏衣の外側に羽織らせる羽織である。なお、本願では、「○○（位置の基準となる物）の内側」とは、納棺用仏衣を遺体に着用させた状態において「○○」よりも遺体に近い側であることを意味し、「○○の外側」とは、「○○」よりも遺体から遠い側であることを意味する。
【００１８】
納棺用仏衣（羽織）１０は遺体の上半身よりもやや長い丈を有し、その内側に着用する他の仏衣が見えるように、布の反対側にある物が透けて見える材質の布が用いられている。納棺用仏衣（羽織）１０の衿１１の前部には、左右の衿１１を結ぶ紐１１２が設けられている。衿１１の裏には伊達衿１２が取り付けられている。また、伊達衿１２を設けた位置において、衿１１の外側に飾り衿１３が取り付けられている。
【００１９】
伊達衿１２は、平面筒状であって略長方形の布製部材１２１（図４(a)）から作製される。具体的には、予め布製部材１２１内に、それよりもやや幅の狭い平面状の形状を有する青色の消臭材（消臭シート）２１を収容したうえで（図４(b)）、該長方形の一方の長辺の中点Ｃ付近から長手方向に対して両側に45°に延びる折り線（図４(a)中の破線）で、該長手方向に対して90°に折り返す（図４(c), (d)）ことにより、その形状が形成される。このように、布製部材１２１の筒内に、消臭材２１が収容された伊達衿１２が得られる。すなわち、伊達衿１２が、本考案における消臭材収納部に該当する。以下、本実施例では、伊達衿を「伊達衿（消臭材収納部）１２」と表記する。
【００２０】
伊達衿（消臭材収納部）１２は、左右の衿１１に亘り、外側から見て一部が衿１１からはみ出すように、衿１１の内側（図２、図３）に縫い付けられる。このように伊達衿（消臭材収納部）１２が衿１１からはみ出すことにより、重ね着をしているように見える。なお、図２では、衿１１の内側における伊達衿（消臭材収納部）１２を表すために、羽織１１の前面を外側に開いた状態を示した。
【００２１】
伊達衿（消臭材収納部）１２の布製部材１２１は、通気性を有し、且つ羽織１１の衿１１よりも可視光を透過し難い、すなわち透け難い材質の白色の無地の布から成る。このような透け難い材質の布は、伊達衿（消臭材収納部）１２内に収納される消臭材２１の形状が外部から視認され難くするために用いる。但し、消臭材２１の色は伊達衿（消臭材収納部）１２の外部から視認可能であり、伊達衿（消臭材収納部）１２はその一部が青みがかったデザインを有するように見える。
【００２２】
飾り衿１３は、帯状の布を長手方向の折り線で二つ折りにして衿１１を挟むように（図３）、該衿１１に縫いつけられたものである。飾り衿１３の布はレース編みで模様が形成されたものから成る。
【００２３】
本実施例の納棺用仏衣（羽織）１０は、下衣の外側に羽織らせ、衿１１の左右に設けられた紐１１２同士を結ぶことにより、遺体に着用させる。これにより、遺体内から外部へ臭気を放出する口や鼻に近い位置にある衿部の伊達衿（消臭材収納部）１２に消臭材２１が配置されるため、効率良く消臭が行われる。
【００２４】
仏衣の衿部は通常は他の部分よりも厚いため、衿１１に消臭材収納部を設けることで衿部を形成することにより、見た目の違和感を抑えることができる。特に、本実施例の納棺用仏衣（羽織）１０では、平面筒状の形状を有する伊達衿を消臭材収納部として用いることにより、衿部の見た目をより違和感のないものにすることができる。なお、消臭材２１は、例えば粒状のものを伊達衿（消臭材収納部）１２に充填することも可能であるが、伊達衿（消臭材収納部）１２に収納した状態での見た目を通常の衿部の形状により近づけるために、上述した平面状の消臭シートを用いることが好ましい。
【００２５】
また、本実施例の納棺用仏衣（羽織）１０では、他の部分よりも透け難い材質の布を消臭材収納部１２に用いているため、葬儀の場に似つかわしくない消臭材２１の形状が葬儀の参列者に視認され難くすることができ、死者の尊厳を保つことができる。
【実施例２】
【００２６】
第２の実施例の納棺用仏衣（羽織）１０Ａは、第１実施例における伊達衿１２及び飾り衿１３の代わりに、図５及び図６に示すように、以下に述べる消臭材収納部１２Ａを設けたものである。それ以外の点は第１実施例と同様である。本実施例では、衿１１と消臭材収納部１２Ａを合わせて、本考案における衿部が構成される。
【００２７】
消臭材収納部１２Ａは、帯状の布を長手方向の折り線で二つ折りにして、衿１１を挟むように（図６）、該衿１１に縫いつけられている。この消臭材収納部１２Ａでは、二つ折りの布の間に、消臭材２１を収納する空間が形成される。消臭材収納部１２Ａの布には、通気性を有し、且つ、羽織１１の布よりも可視光を通し難い、すなわち透け難い布を用いる。但し、この布には、第１実施例における伊達衿（消臭材収納部）１２と同様に、消臭材２１の色は視認できる（形状が視認できない）程度に透けるものであってもよい。なお、本実施例では消臭材収納部１２Ａが直接参列者の目に留まるため、消臭材収納部１２Ａの布には、模様の入ったものなど、それ自体の見た目が良いものを用いることが望ましい。
【００２８】
なお、この二つ折りの布の間に衿１１の布が挟まれるが、消臭材２１は、消臭材収納部１２Ａの外側の布と衿１１の間、及び消臭材収納部１２Ａの内側の布と衿１１の間、のいずれにも収容することができる（図６）。
【００２９】
本実施例の納棺用仏衣（羽織）１０Ａを使用する際には、消臭材収納部１２Ａに消臭材２１を収容した状態で第１実施例と同様に遺体に着用させ、その後、衿１１の左右に設けられた紐１１２同士を結ぶ。
【００３０】
本実施例の納棺用仏衣（羽織）１０Ａにおいても第１実施例と同様に、衿１１に設けられた消臭材収納部１２Ａに消臭材２１が配置されるため、遺体の口や鼻から放出される臭気を効率良く消臭することができる。また、消臭材収納部１２Ａが平面筒状であることにより見た目の違和感を抑えることができることや、他の部分よりも透け難い材質の布を消臭材収納部１２Ａに用いることにより消臭材２１が葬儀の参列者に視認され難くすることができることも、第１実施例と同様である。
【００３１】
（納棺用仏衣の変形例）
本考案に係る納棺用仏衣は上記実施例のものには限定されない。例えば、第１実施例において、飾り帯１３と衿１１の間に消臭材を収容（すなわち飾り帯１３を消臭材収納部として使用）してもよい。この場合、レースの目から消臭材が透けて見えてしまうが、通気性がよいため、より効率良く消臭することができる。
【００３２】
また、図７(a)に示すように、第２実施例の消臭材収納部１２Ａと同様の形状を有する消臭材収納部１２Ｂを衿１１に取り付け、衿１１を構成する布に、消臭材収納部１２Ｂの布よりも透け難い材質のものを用いてもよい。この場合、消臭材収納部１２Ｂのうち、衿１１の内側に消臭材２１を収容することにより、消臭材２１が参列者の目につき難くすることができる。なお、消臭材が葬儀の参列者に視認されることが許容される場合には、消臭材収納部１２Ｂのうち、衿１１の外側に消臭材２１を収容してもよい。
【００３３】
あるいは、図７(b)に示すように、飾り帯１３を設けることなく、第１実施例と同様の消臭材収納部１２を衿１１の内側に縫いつけてもよい。また、図７(c)に示すように、消臭材収納部１２を衿１１の外側に縫いつけてもよい。
【００３４】
更に、本考案に係る納棺用仏衣は羽織には限られない。例えば、遺体が直接身に付ける下衣の衿に第１実施例と同様の伊達衿（消臭材収容部）を縫いつけたものも、本考案に係る納棺用仏衣に含まれる。
【実施例３】
【００３５】
本考案に係る輪袈裟の一実施例を、図８を用いて説明する。本実施例の輪袈裟３０は、平面筒状であって略長方形の布製部材３１の筒内に、第１実施例と同様の消臭材（消臭シート）２１を収容し、該長方形の一方の長辺の中点付近から長手方向に対して両側に45°に延びる折り線で該長手方向に対して90°に折り返した構成を有する。布製部材３１は通気性を有する。すなわち、布製部材３１により形成された筒内が消臭材収納部となる。このような構造は、第１実施例の納棺用仏衣１０における伊達衿（消臭材収容部）１２と同様の方法（図４参照）で作製することができる。
【００３６】
布製部材３１の両端近傍にはそれぞれ紐３２が取り付けられており、それらの紐３２を結ぶと、布製部材３１及びこれらの紐により１つの輪が形成される（それゆえ、「輪袈裟」と呼ばれる）。
【００３７】
本実施例の輪袈裟３０を使用する際には、納棺用仏衣（本考案に係る納棺用仏衣である必要はない）を着用した遺体の首を通して、衿元に掛ける。これにより、遺体内から外部へ臭気を放出する口や鼻に近い位置にある輪袈裟３０内の消臭材２１により、効率良く消臭が行われる。
【符号の説明】
【００３８】
１０、１０Ａ…納棺用仏衣
１１…衿
１１２、３２…紐
１２…伊達衿（消臭材収納部）
１２Ａ…消臭材収納部
１２１…布製部材
１３…飾り衿
２１…消臭材（消臭シート）
３０…輪袈裟
３１…布製部材（消臭材収納部）
【図１】
0003178723.tif 000003
【図２】
0003178723.tif 000004
【図３】
0003178723.tif 000005
【図４】
0003178723.tif 000006
【図５】
0003178723.tif 000007
【図６】
0003178723.tif 000008
【図７】
0003178723.tif 000009
【図８】
0003178723.tif 000010